(57)【要約】【課題】変調にＡＭ成分を含む無線通信システム等の無線受信機に関し、常時接続を行わず、電界レベルをモニタし、電界レベルが所定の閾値を越えたことを判定して接続動作の契機とするためのキャリア検出を高確度で行う。【解決手段】  アンテナ１に達した電波をミキサ５で周波数変換して中間周波数キャリアとし、Ａ／Ｄ変換器２１でディジタル信号に変換した後、信号処理部２２でディジタル信号処理が行われるが、中間周波数キャリアをＲＳＳＩ回路１０で電界レベルに応じた直流電圧に変換し、電界レベルが或る閾値以上であるか否かをコンパレータ１３で規準電圧源１２の規準電圧と比較すると共に、ＲＳＳＩ回路１０の出力電圧のゆらぎ（交流成分）をバンドパスフィルタ（アンプ）１４及び整流器１５により抽出し、コンパレータ１８で規準電圧源１７の規準電圧と比較して、ＡＭ変調の深さが所定の比率以上であるか否かを判定してキャリア検出を行う。【選択図】      図１
2007027912.tif 000002
【特許請求の範囲】
【請求項１】
受信電波の電界レベルが所定の閾値を超えているか否かを判定する第１の判定手段と、
受信電波のＡＭ変調の深さが所定の閾値を越えているか否かを判定する第２の判定手段と、
前記第１及び第２の判定手段により、電界レベル及びＡＭ変調の深さがそれぞれ所定の閾値を越えていると判定されたとき、当該受信電波の復調処理における後段の機能ブロックをアクティブにする手段と、
を備えたことを特徴とする無線受信機。
【請求項２】
前記第２の判定手段において、ＡＭ変調の深さを、受信すべき信号の同期バーストのＡＭ変調周期に相当する周波数領域で判定することを特徴とする請求項１に記載の無線受信機。
【請求項３】
前記第２の判定手段において、電界レベルの比を直流電圧の差に変換して出力する特性を有する電界レベルモニタ回路の出力を基に、ＡＭ変調の深さを判定することを特徴とする請求項１又は２に記載の無線受信機。
【請求項４】
前記第２の判定手段において、複数の周波数領域についてＡＭ変調成分の深さを判定し、受信すべき信号の同期バーストのＡＭ変調周期に相当する周波数領域特定でのみＡＭ変調の深さが所定の閾値を越え、他の周波数領域でＡＭ変調の深さが所定の閾値を越えていないことを判定することを特徴とする請求項１乃至３の何れかに記載の無線受信機。
【請求項５】
前記第２の判定手段において、受信電波のＡＭ変調の深さが、ＡＭ変調の深さの判定閾値として予め設定された上限値と下限値の２つの閾値の間に存在することを判定することを特徴とする請求項１乃至４の何れかに記載の無線受信機。
【発明の詳細な説明】
【技術分野】
【０００１】
本発明は、無線受信機に関し、特に、ＱＡＭ（Quadrature Amplitude Modulation）直交振幅変調等、変調にＡＭ（Amplitude Modulation）成分を含むディジタル無線通信システム等の受信機において、常時接続を行わず、電界レベルをモニタし、電界レベルが所定の閾値を越えたことを判定して接続動作の契機とするために、キャリア検出の機能を有する受信機（対向する送信機からキャリアが常送されていても常時接続を行わないものを含む）を対象とし、平均消費電流を低く抑える必要性の高い受信機に好適に適用される。
【背景技術】
【０００２】
図２に従来の受信機の構成例を示す。同図に示す受信機において、アンテナ１に達した電波は、ＲＦ帯域のバンドパスフィルタ２及び４で周波数選別され、ＲＦアンプ３で増幅されてミキサ５に入力され、ミキサ５で局部発振器６の出力とミキシングされて周波数変換され、中間周波数キャリアとなる。中間周波数キャリアはさらにローパスフィルタ又はバンドパスフィルタ７及びバンドパスフィルタ９でフィルタリングされ、アンプ８で増幅されてＡ／Ｄ変換器２１に入力される。Ａ／Ｄ変換器２１でディジタル信号に変換された後、信号処理部２２送られてディジタル領域で復調を含む信号処理が行われる。
【０００３】
上記バンドパスフィルタ９から出力される中間周波数キャリア（交流信号）は、ＲＳＳＩ（Receiving Signal Strength Indicator：電界レベルモニタ回路）回路１０で、電界レベルに応じた直流電圧に変換され、このＲＳＳＩ回路１０の電圧出力は、必要に応じてローパスフィルタ・直流アンプ１１でフィルタリング及びレベル調整された後、コンパレータ１３で規準電圧源１２の規準電圧と比較される。ＲＳＳＩ回路１０からの出力電圧の方が高い場合は、制御部２０において電界レベルが或る閾値より高いと判定される。これにより、電界レベルが或る閾値以上であるか否かが判定される。
【０００４】
図２の構成において、機能ブロックＡは、定期的に他の機能ブロックをアクティブにするためのタイマ１９等の機能を備え、電源オン時に常にアクティブとなる。消費電流はごく少ない。機能ブロックＢは、受信すべきキャリアに相当するＲＦ周波数帯域の電界レベルをモニタするために必要な機能ブロックで、消費電流は比較的小さい。機能ブロックＣは、変調信号を復調して処理し、受信信号の内容を判別するとともに最終的なコンテンツ信号の受信に必要となる機能ブロックで、消費電流が大きい。
【０００５】
常時接続を行わないディジタル無線装置の受信機、特にバッテリ駆動による動作を想定して平均消費電流を抑える必要性が高い受信機では、下記のような省電力化方式が広く採用されている。
（１）受信機は平常状態でタイマ１９等のような最低限の動作機能維持のために必要な機能ブロックのみをアクティブにし、他の機能ブロックを電力セーブ状態とすることにより消費電流を抑えている。この状態を状態１とする。状態１は消費電力が最も小さい。
（２）タイマ１９を用いて定期的に電界レベルモニタに必要な機能ブロックをアクティブにし、電界レベルが予め設定された閾値を超えているか否かを判定させる。電界レベルモニタに必要な機能ブロックをアクティブにしている状態を状態２とする。状態２は状態１に次いで消費電力が比較的小さい。
（３）電界レベルモニタで観測したレベルが予め設定された閾値を超えたと判定された場合は、その電界レベルが本来の受信すべきキャリアによるものか否かの判定を行うために必要な機能ブロックをアクティブにする。この状態を状態３とする。
（４）前述の判定で本来の受信すべきキャリアであると判断された場合は、実際にコンテンツを受信するために必要な機能ブロックをアクティブにする。この状態を状態４とする。
【０００６】
上記のような省電力化方式においては、状態３及び状態４の段階の処理（ビット同期、シンボル同期、フレーム同期、一斉予呼出しか個別呼出しか等の呼出し種別識別及びグループや個体のＩＤ照合等からコンテンツの受信まで）で、高速かつ大量の処理を行うために、大規模なディジタル回路群（ＤＳＰ，ＦＰＧＡ，ＬＳＩ等）をアクティブにしなければならず、消費電力が大きくなる。
【０００７】
従って、実際に本来の受信すべきキャリアが存在しないにも拘わらず、電界レベルが閾値に達して状態３の段階で不適切に判定処理を行う頻度を小さくし、本来の受信すべきキャリアが存在しない場合は、状態１又は状態２に留まる時間比率を大きくすることが平均消費電流の低減を図るために重要である。
【０００８】
本発明に関連する先行技術文献として、受信レベルと同期バーストの同期信号成分を検出し、それらが所定値以上のとき、正しい受信信号（一波同時送受信方式）として判定し、所定の受信処理をする無線通信機について下記の特許文献１に記載されている。また、受信同期キャリアを検出し、自パターンと一致するときのみ受信処理をすることにより省電力を図る無線通信装置について下記の特許文献２に記載されている。
【特許文献１】特開平８−３１６８７２号公報
【特許文献２】特開平８−１３９６３５号公報
【発明の開示】
【発明が解決しようとする課題】
【０００９】
市街地や工場など、常時稼動している電気機器が多数存在する場所では、無線通信装置の受信感度特性を基に決定された電界レベルの閾値よりも高いレベルの電界が頻繁に発生し、又は定常的に存在している電波環境が少なくない。このような電波環境で、前述の省電力方式の無線通信装置を使用すると、本来受信すべきキャリアと無関係なノイズ電波によって終始状態３に達し、消費電流の大きな機能ブロックがアクティブ状態になるため、平均消費電流が大きくなってしまう。
【００１０】
そのため、バッテリ駆動による装置の動作時間が標準値（通常の一般的な電波環境、呼出し頻度及び通信時間を想定して定められた値）に比べて極端に短くなったり、或いは商用電源駆動による装置において商用電源停電時に使用されるバッテリの消耗が激しくなったりするなどの弊害が生じる。
【００１１】
本発明は、小規模な回路とシンプルな処理機能の追加により、状態２において本来受信すべきキャリアでない電界レベルを或る程度判別し、状態３に移行することなく、そのような電界レベルの受信信号を棄却する手段を設けることにより、無効に状態３に達する頻度を低減し、平均消費電流の節減（但し、本発明による追加回路で消費電流が多少増加するが、状態３における動作電流と比較するとはるかに小さい）を図るものである。
【課題を解決するための手段】
【００１２】
本発明の無線受信機は、（１）受信電波の電界レベルが所定の閾値を超えているか否かを判定する第１の判定手段と、受信電波のＡＭ変調の深さが所定の閾値を越えているか否かを判定する第２の判定手段と、前記第１及び第２の判定手段により、電界レベル及びＡＭ変調の深さがそれぞれ所定の閾値を越えていると判定されたとき、当該受信電波の復調処理における後段の機能ブロックをアクティブにする手段と、を備えたことを特徴とする。
【００１３】
また、（２）前記第２の判定手段において、ＡＭ変調の深さを、受信すべき信号の同期バーストのＡＭ変調周期に相当する周波数領域で判定することを特徴とする。また、（３）前記第２の判定手段において、電界レベルをキャリア電力の変化の比として出力する電界レベルモニタ回路の出力を基に、ＡＭ変調の深さを判定することを特徴とする。
また、（３）前記第２の判定手段において、電界レベルの比を直流電圧の差に変換して出力する特性を有する電界レベルモニタ回路の出力を基に、ＡＭ変調の深さを判定することを特徴とする。
【００１４】
また、（４）前記第２の判定手段において、複数の周波数領域についてＡＭ変調成分の深さを判定し、受信すべき信号の同期バーストのＡＭ変調周期に相当する周波数領域特定でのみＡＭ変調の深さが所定の閾値を越え、他の周波数領域でＡＭ変調の深さが所定の閾値を越えていないことを判定することを特徴とする。
【００１５】
また、（５）前記第２の判定手段において、受信電波のＡＭ変調の深さが、ＡＭ変調の深さの判定閾値として予め設定された上限値と下限値の２つの閾値の間に存在することを判定することを特徴とする。
【発明の効果】
【００１６】
無線通信装置の受信感度特性から決定される閾値よりも高い電界レベルの電波が、該無線通信装置の使用電波環境のノイズにより頻繁に発生し、又は定常的に蔓延している場合に、電波ノイズの変調状態は種々様々であるが、特に、受信すべき信号の同期バーストのＡＭ変調周期に相当する周波数領域に限定すれば、そのＡＭ変調の深さが、該同期バーストのＡＭ変調の深さに相当するほど深いケースは少ない。確率的には、電波ノイズのＡＭ変調の深さが、受信すべき信号のＡＭ変調の深さと同程度となることは起こり得ることであるが、その確率は極めて低い。
【００１７】
従って、平均電界レベルのモニタに加えて、ＡＭ変調成分の深さをモニタし、その両者が予め設定した閾値より大きい場合にのみ、前述の状態３に移行し、当該受信電波の復調処理における後段の機能ブロックをアクティブにすることにより、環境ノイズに反応して状態３に移行してしまうことによる無駄な電力を消費する確率を減少させることができる。その結果、平均消費電流を少なく抑えられることになる。
【発明を実施するための最良の形態】
【００１８】
ディジタル無線システムにおいて、常時接続を行わず、電界レベルをモニタして閾値より高い電界レベルが検出されたことを呼出しの有無判定の最初の契機とする受信機では、呼出し有無判定処理の開始の段階（電界レベル判定からビット同期やシンボル同期を行う段階）では、一定の周期で変動する変調パターンを基に判定処理することが多い。キャリア常送の通信システムでも常時接続を行わない通信装置の受信機では、呼出し有無判定処理の最初の部分で同様の変調パターンを使用して判定することが多い。以下、この一定の周期で変動する変調パターンが受信される部分を同期バーストと呼称する。
【００１９】
受信すべきキャリアが到来している可能性有りと判断してその判別のために状態３に進む契機として、従来は、受信レベルの電界強度が予め設定された閾値より大きいことのみを判断条件としていたのに対し、本発明は、この条件として、（１）電界レベルが予め設定された閾値より大きい、（２）受信信号のＡＭ変調成分の深さ（最大振幅と最小振幅の比）が、同期バーストのシンボルの周期に相当する周波数領域において、予め設定された閾値より大きい、という２つの条件の論理積を用いる。
【００２０】
図１に本発明による受信機の構成例を示す。同図の構成例は、シングルヘテロダイン受信機に適用した構成例である。なお、ベースバンド信号を復調した後にコンテンツの信号を扱う回路（無線電話機であれば音声信号処理回路等）や電源回路等は図示省略している。図１に示す構成例の各機能ブロックの働きを装置の動作状態の関係とともに説明する。
【００２１】
（状態１）
受信機は平常、タイマ１９等の最低限の動作維持のための機能ブロックのみをアクティブにし、他の機能ブロックを電力セーブ状態とすることにより消費電流を抑える。この状態を状態１とする。状態１は消費電力が最も小さい。状態１では図１の機能ブロックＡのみがアクティブとなる。
【００２２】
（状態２）
タイマ１９の機能により定期的に電界レベルモニタに必要な機能ブロックをアクティブにし、電界レベルの平均値及びＡＭ変調成分の深さ(瞬時値の最大レベルと最小レベルの比)が予め設定された閾値を超えているか否かを判定する。電界レベルモニタに必要な機能ブロックをアクティブにしている状態を状態２とする。この状態２も消費電力が比較的小さい。状態２では図１の機能ブロックＡ及び機能ブロックＢがアクティブとなる。
【００２３】
（状態３）
上述の状態２でモニタした２つの電界レベル条件が予め設定された閾値を超えた場合は、その電界レベルが受信すべきキャリアによるものか否か、また、どのような方式の信号の受信を行うべきかを最終的に判定するために必要な機能ブロックをアクティブにする。この状態を状態３とする。状態３では機能ブロックＡ、機能ブロックＢ及び機能ブロックＣがアクティブとなる。
【００２４】
（状態４）
前述の状態３で電界レベルが受信すべきキャリアであると判断された場合は、実際にコンテンツの信号を受信するために必要な機能ブロックをアクティブにする。この状態を状態４とする。状態４では機能ブロックＡ機能ブロックＢ及び機能ブロックＣがアクティブとなる。なお、状態３と状態４とは異なる状態であるが、図１に示す機能ブロック図では、アクティブとなるブロックに差異はない。
【００２５】
機能ブロックＡは、定期的に他の機能ブロックをアクティブにするためのタイマ１９等の機能を備え、電源オン時に常にアクティブとなる。消費電流はごく少ない。機能ブロックＢは、受信すべきキャリアに相当するＲＦ周波数帯域の電界レベルをモニタするために必要な機能ブロックで、消費電流は比較的小さい。本発明においては、電界強度だけではなく、ＡＭ変調の深さもモニタする。機能ブロックＣは、変調信号を復調して処理し、受信信号の内容を判別するとともに最終的なコンテンツ信号の受信に必要となる機能ブロックで、消費電流が大きい。
【００２６】
次に、本発明の受信機における各回路の動作について説明する。本発明の特徴をなす動作は以下の（３）及び（４）である。
（１）復調
アンテナ１に達した電波は、ＲＦ帯域のバンドパスフィルタ２及び４で周波数選別され、ＲＦアンプ３で増幅されてミキサ５に入力され、ミキサ５で局部発振器６の出力とミキシングされて周波数変換され、中間周波数キャリアとなる。中間周波数キャリアはさらにローパスフィルタ又はバンドパスフィルタ７及びバンドパスフィルタ９でフィルタリングされ、アンプ８で増幅されてＡ／Ｄ変換器２１に入力される。Ａ／Ｄ変換器２１でディジタル信号に変換された後、信号処理部２２に送られてディジタル領域で復調を含む信号処理が行われる。
【００２７】
（２）電界レベルモニタ
上記復調回路で増幅、フィルタリングされた中間周波数キャリア（交流信号）は、ＲＳＳＩ回路１０で、電界レベルに応じた直流電圧に変換される。この直流電圧出力は２分配され、その一方は電界レベルが或る閾値以上であるか否かを判定する回路で使用される。この判定回路では、必要に応じてローパスフィルタ・直流アンプ１１でフィルタリング及びレベル調整された後、コンパレータ１３で規準電圧源１２の規準電圧と比較される。ＲＳＳＩ回路１０からの出力電圧の方が高い場合は、制御部２０において電界レベルが或る閾値より高いと判定される。
【００２８】
（３）ＡＭ変調の深さのモニタ
ＲＳＳＩ回路１０の直流電圧出力のもう一方は、そのゆらぎ（交流成分）の抽出に使用され、これにより電界レベルのＡＭ変調の深さが所定の比率以上であるか否かが判定される。ＲＳＳＩ回路１０のもう一方の出力をバンドパスフィルタ（アンプ）１４に入力し、バンドパスフィルタ（アンプ）１４で所定の周波数領域の交流成分をフィルタリングするとともにレベル調整を行った後、整流器１５に入力する。
【００２９】
バンドパスフィルタ（アンプ）１４の通過領域は、同期バーストのシンボル周期（ＡＭ変調周期）に相当する周波数領域に設計する。整流器１５の出力には、整流器１５の入力電圧の交流振幅に応じた整流出力が現れ、この整流出力はローパスフィルタ・直流アンプ１６でフィルタリング及びレベル調整された後、コンパレータ１８で規準電圧源１７の規準電圧と比較される。
【００３０】
コンパレータ１８の出力は制御部２０に入力され、ＲＳＳＩ回路１０の出力電圧のゆらぎ（交流成分）を整流した電圧レベルの方が規準電圧源１７の規準電圧より高い場合は、制御部２０において受信電界レベルのＡＭ変調の深さが所定の閾値より高いと判断される。
【００３１】
なお、ＲＳＳＩ回路１０の出力として電界レベルの比を直流電圧の差に変換して出力するよう、ＲＳＳＩ回路１０を設計（市販のＲＳＳＩ−ＩＣ回路にもそのようなものが多い）しておくことにより、ＡＭ変調による電界レベル変動に応じた直流電圧の振れ幅（交流成分）は平均電界レベルが高い場合でも低い場合でも、その瞬時電力レベルの最大値と最小値との比のみで決定されるものとしてＲＳＳＩ回路１０から取り出すことができる。
【００３２】
例えば、ＲＳＳＩ回路１０として、以下のように−８０ｄＢｍ〜−４０ｄＢｍの電界レベルの入力に対して、０．８Ｖ〜１．６Ｖの直流電圧を出力するものを用いたとする。
−８０ｄＢｍ  ：  ０．８Ｖ
−７０ｄＢｍ  ：  １．０Ｖ
−６０ｄＢｍ  ：  １．２Ｖ
−５０ｄＢｍ  ：  １．４Ｖ
−４０ｄＢｍ  ：  １．６Ｖ
※ｄＢｍ表示は、基準値（電力１ｍＷ）を基に対数で定義した値であるので、この数値の差は実際には電界レベルの比に相当する。上記ｄＢｍ表示の電界レベルの数値とそれに対応する直流電圧の出力値の数値とは、数値の上では、見かけ上、それらの変化の差がリニアな関係となっているが、実際は電力の変化の比が電圧差に変換されている。
【００３３】
−８０ｄＢｍから−７０ｄＢｍへのＡＭ変調によるレベル変動（平均レベルが低め）であっても、−５０ｄＢｍから−４０ｄＢｍのＡＭ変調によるレベル変動（平均レベルが高め）であっても、ＡＭ変調の深さが同じ１０ｄＢ（＝電力比１：１０）であれば、直流電圧の振れ幅は同じ０．２Ｖとなるので、その交流成分を整流し平滑した電圧は単純に一定の基準電圧と比較することができる。
【００３４】
従って、ＲＳＳＩ回路１０の出力の振れ（交流成分）を整流器１５で整流した出力により、平均電界レベルの大小に関係なく、基準電圧源１７から出力される一定電圧との比較により、ＡＭ変調の深さを判定することができる。こうすることにより、ＲＳＳＩ回路１０の出力の平均レベルに応じてバンドパスフィルタ（アンプ）１４、ローパスフィルタ・直流アンプ１６のゲインや基準電圧源１７の基準値を変化させるような複雑な処理は不要となり、構成を簡素化することができる。
【００３５】
（４）論理積による判定
上述の２つの判定（即ち、電界レベルが所定の閾値より高く、かつそのＡＭ変調の深さが所定の閾値より大きいかの判定）の論理積が成り立つことが確認された場合に、前述の状態３に移行することにより、電界レベルだけで判断した場合と比較して、閾値以上の電界レベルの電波が受信すべきキャリアとは別の電波に因るものであるにも拘わらず状態３に移行してしまう確率を減少させることができる。
【００３６】
逆に電界レベルが受信すべきキャリアに因るものであれば、電界レベルが所定の閾値以上になるとともにＡＭ変調の深さも必ず所定の閾値以上になるので、その両者が閾値を超えたことの判定結果の論理積を基に状態３に移行することにより、受信すべきキャリアを取りこぼすことはない。従って、この両者の判定の論理積を状態３に進む契機とすることで、電波ノイズによる電界レベルの上昇であるにも拘わらず、受信すべきキャリアが到来している可能性有りと判断して状態３に進んで無駄な電力を消費してしまう頻度を減少させることができる。
【００３７】
ここで、各機能ブロックをアクティブにする手法について説明すると、本発明において各機能ブロックをアクティブにする方法に特に制限はないが、以下のような方法を採用することができ、使用デバイスや回路構成によって適宜選択すればよい。
（１）該当するデバイスや回路群の外部に電源スイッチを設ける。
（２）デバイスのスリープモード等を利用する。
（３）特別なモードを設定可能にし、外部から電源供給を停止しなくても、データ処理量を少なくすることで消費電流を低減する。
【００３８】
また、ＡＭ変調の深さの検出の手法として、前述の実施形態では最も簡単な構成例を挙げて説明したが、電波ノイズに起因する電界レベル上昇による状態を棄却する確率をさらに改善するとともに、既存の同期バーストパターンと整合させるために、以下のように、さらに条件を絞る手法を採用する構成とすることもできる。
（１）複数の周波数領域についてＡＭ変調成分の深さを判定し、特定の周波数領域（受信すべき信号の同期バーストのＡＭ変調周期に相当する周波数領域）でのみＡＭ変調が深く、他の周波数領域ではＡＭ変調が浅いことを確認して状態３に移行する。
（２）同期バーストのＡＭ変調成分が比較的浅いシステムにおいては、ＡＭ変調の深さの判定閾値として上限値と下限値の２つを設けておき、観測したＡＭ変調の深さがその２つの判定閾値の間に存在することを確認して状態３に移行する。
【００３９】
また、既存の通信システムの同期バースト等のパターンがＡＭ変調の深さの検出に適さない場合は、同期バーストの前部にＡＭ変調の深さ検出に適する変調パターンを追加する構成とすることができる。但し、この場合は、受信側だけでは対応することができず、送信側も含めた変更が必要となる。追加する変調パターンにも以下のとおり幾つかの手法がある。
（１）コンテンツ送受信や同期バーストで使用する変調方式（例えばＱＡＭ）をそのまま使用し、ディジタルパターンのみを適切なものに変更する。
（２）該当する目的のためだけのなんらかのＡＭ変調を導入する。
（３）キャリアを断続させる。
【００４０】
また、同期バーストパターンの検出において、同期バーストのパターン構成によっては、ＡＭ変調の深さ検出に適さない場合もある。このような場合、上述の変調パターンを追加する手法のほかに、又はこの手法と併用して、ＲＳＳＩ回路の変動パターンを相関器回路に入力して直接特定パターンの有無を検出する手法を採用することもできる。
【図面の簡単な説明】
【００４１】
【図１】本発明による受信機の構成例を示す図である。
【図２】従来の受信機の構成例を示す図である。
【符号の説明】
【００４２】
１  アンテナ
２  ＲＦ帯域のバンドパスフィルタ
３  ＲＦアンプ
４  ＲＦ帯域のバンドパスフィルタ
５  ミキサ
６  局部発振器
７  ローパスフィルタ又はバンドパスフィルタ
８  アンプ
９  バンドパスフィルタ
１０  ＲＳＳＩ回路
１１  ローパスフィルタ・直流アンプ
１２  規準電圧源
１３  コンパレータ
１４  バンドパスフィルタ（アンプ）
１５  整流器
１６  ローパスフィルタ・直流アンプ
１７  規準電圧源
１８  コンパレータ
１９  タイマ
２０  制御部
２１  Ａ／Ｄ変換器
２２  信号処理部
【図１】
2007027912.tif 000003
【図２】
2007027912.tif 000004